(57)【要約】      （修正有）【課題】高齢者等が杖の使用時において、病院の受付、公共施設の受付、買い物等で両手が必要な場合、杖を一旦手から離して他の場所に立て掛ける不便さと、杖が倒れた時の拾い上げることの困難さを解消するための杖保持具を提供する。【解決手段】掛け具２の挿入部２１を、男性用ズボン、女性用のスカート及びパンツのベルト等の腰部に挿入して装着し、突起部３２ａの上部に、杖５の把持部５１を握った手の親指を添えれば、杖５の位置が定まり、アタッチメント４の鋼板４１が保持体３ａの磁石３１へ吸引されて杖５が腰部に保持され、両手使用が可能となり、掛け具２とアタッチメント４が連結紐６２と、リング紐６１で連結され、杖５の把持部５１が手から離れても、連結紐６２を手繰り寄せれば把持部５１が把持でき、連結紐６２に５Ｋｇから１０Ｋｇ以上の引っ張り力が加わった場合、安全装置７ａが働き、連結紐６２が分離して安全も確保できる。【選択図】図８
2019005097.tif 000002
【特許請求の範囲】
【請求項１】
腰部に装着して使用する杖保持具であって、杖の保持は、掛け具と、保持体と、杖のアタッチメントからなり、前記掛け具は、上部に掛止部と、前部は下部に抜き孔を備えた連結部で、後部が滑り止めを備えた挿入部からなり、前記保持体は、上部に突起部が設けられ、中央に一個以上の磁石が固着され、該磁石の両サイドにガイド部と、下端部に係止部が設けられて、前記掛け具の連結部に連結されてなり、前記杖のアタッチメントは、締め付け部と、紐挿入孔を備えて円弧状に形成された取付け部の表面が磁性体で、前記取付け部の内部に緩衝材が挿入されて、前記杖のシャフトの上部に取り付けられ、前記保持体の磁石に前記杖のアタッチメントの磁性体が吸着し、杖が保持される構造を特徴とする杖保持具。            
【請求項２】
前記杖のシャフトの上部の外周に磁性を有したパイプ、又は、磁性を有した平板が円弧状に形成されて固着、又は、組み込まれ、リング状の紐がセットされた構造を特徴とする請求項１に記載の杖保持具。
【請求項３】
略U字状に形成されたフックの一方は解放状態で、他方の上部が前記掛け具の連結部に、連結されてなり、締め付け部と、紐挿入孔を備えて円弧状に形成された前記杖のアタッチメントの取付け部に、両サイドにアームを備えた連結リングが回動可能に取り付けられ、前記略Ｕ字状のフックに前記連結リングを引っ掛けて前記杖が保持される構造を特徴とする請求項１又は請求項２に記載の杖保持具。      
【請求項４】
前記掛け具の連結部に、上部が突起部で、中央の両サイドにガイド部と下部の前方に停止部を備えた保持体が設けられてなり、締め付け部と、紐挿入孔を備えて円弧状に形成された前記杖のアタッチメントの取付け部に、差し込み部が設けられ、該差し込み部が、前記保持体のガイド部から挿入され、前記停止部で保持される構造を特徴とする請求項１から請求項３のいずれかに記載の杖保持具。
【請求項５】
前記杖のアタッチメントの紐挿入孔にリング状の紐が接続され、該リング状の紐を前記保持体の突起部、又は、前記フックに引っ掛けて、前記杖の保持を可能にしたことを特徴とする請求項１から請求項４のいずれかに記載の杖保持具。  
【請求項６】
前記掛け具の連結部の下部の抜き孔に連結紐が接続され、前記杖のアタッチメントに接続された前記リング状の紐と、前記連結紐が接続されて、前記掛け具と、前記杖のアタッチメントが紐で連結され、前記連結紐の中間部に５〜１０Ｋｇの引っ張り力で分離する安全装置を連結した構造を特徴とする請求項１から請求項５のいずれかに記載の杖保持具。
【発明の詳細な説明】
【技術分野】
【０００１】
本発明は、杖を利用する時の杖保持具に関する。
【背景技術】
【０００２】
従来、杖は主に高齢者が利用し、片手で使用するため、病院の受付、公共施設の受付、買い物等で両手が必要な場合は、杖を一旦手から離す必要があるため、杖を一時的に立てかけて置くことのできる保持具、及び、杖に接続した調節可能な紐の輪を肩に斜め掛けにして常時保持する方法が考えられ、提案されている。
【先行技術文献】
【特許文献】
【０００３】
【特許文献１】特開２００３−２４５１１０号公報
【特許文献２】特開２００６−８７５３４号公報
【特許文献３】特許第３８１６８９９号公報
【発明の概要】
【発明が解決しようとする課題】
【０００４】
特許文献１に記載された杖用補助具の肩への斜め掛けは高齢者にとって煩わしく、紐を突起部に引っ掛けてしまうことの危険性もある。
【０００５】
特許文献２に記載された杖掛け保持具は、杖と共に常に持ち歩かなくてはならないという煩わしさがあり、杖を立て掛ける場合は、杖掛け保持具を立て掛ける場所にセットした後に杖を嵌め込んで保持するという工程が発生し、高齢者にとっては余分な煩わしい作業が発生することになる。
【０００６】
特許文献３に記載された杖保持具も杖と共に常に持ち歩かなくてはならないという煩わしさがあり、机等の平な上部に載置可能という限定となり、全ての場所に杖の保持が可能というわけではない。又、何らかの外力により、杖が載置場所から離れ床に転倒した場合、杖利用者にとっては拾い上げることが困難な場合も発生する。
【０００７】
本発明は、このような問題を解決しようとするものであり、杖を必要に応じて立った状態でも、椅子に腰かけた状態においても、簡単に身体に付着させて保管し、両手を自由に使用することができ、さらに、杖を離しても容易に手元に引き寄せることができることを目的とする。
【課題を解決するための手段】
【０００８】
腰部に装着して使用する杖保持具で、杖の保持は、掛け具と、保持体と、杖のアタッチメントからなり、前記掛け具は、上部に掛止部と、前部は下部に抜き孔を備えた連結部で、後部が滑り止めを備えた挿入部からなり、前記保持体は、上部に突起部が設けられ、中央に一個以上の磁石が固着され、該磁石の両サイドにガイド部と、下端部に係止部が設けられて、前記掛け具の連結部に連結されてなり、前記杖のアタッチメントは、締め付け部と、紐挿入孔を備えて円弧状に形成された取付け部の表面が磁性体で、前記取付け部の内部に緩衝材が挿入されて前記杖のシャフトの上部に前記締め付け部で固定され、前記掛け具の挿入部がベルト等の腰部へ挿入して装着され、前記杖の把持部を握った手の親指を前記保持体の突起部の上部に添えることにより、前記杖のアタッチメントが前記保持体の磁石の前に自然に位置して吸着され、前記杖が腰部に保持される構造を要旨とする。  
【０００９】
使い易さと、杖のデザイン性を考慮した杖保持具で、前記杖のシャフトの上部に、該シャフトの外径より太い外径の磁性体のパイプ、又は、磁性体の平板が円弧状に形成されて固着、又は、組み込まれ、リング状の紐がセットされた構造を要旨とする。
【００１０】
磁石を接近させることができない人も使用できる杖保持具で、略U字状に形成されたフックの一方は解放状態で、他方の上部が前記掛け具の連結部に、連結されてなり、締め付け部と、紐挿入孔を備えて円弧状に形成された前記杖のアタッチメントの取付け部に、両サイドにアームを備えた連結リングが回動可能に取り付けられ、前記連結リングのアームが前記杖を把持した手の中指で持ち上げられてリング部が水平になり、前記フックに引っ掛けて前記杖を保持する構造を要旨とする。  
【００１１】
磁石を接近させることができない人も使用できる杖保持具で、前記掛け具の連結部に、上部が突起部で中央の両サイドにガイド部と下部の前方に停止部を備えた保持体が設けられてなり、締め付け部と、紐挿入孔を備えて円弧状に形成された前記杖のアタッチメントの取付け部に、差し込み部が設けられ、該差し込み部は、前記保持体のガイド部から挿入されるが、前記杖の把持部を握った手の親指を、前記保持体の突起部の上部に添えることにより、前記杖のアタッチメントの差し込み部が、前記保持体のガイド部の前に位置が定まり、容易に挿入できて、前記停止部で保持される構造で、金属形成と、合成樹脂成型が可能で、前記保持体の形状も可変可能な非磁性体構造を要旨とする。    
【００１２】
前記掛け具を装着して、椅子等に腰掛けた状態時の前記杖の保持を容易にするため、前記杖のアタッチメントの紐挿入孔にリング状の紐が接続され、該リング状の紐を前記保持体の突起部、又は、前記フックに引っ掛けて、前記リング状の紐により前記杖の向きを自在に変更可能にして保持できる構造を要旨とする。  
【００１３】
前記掛け具の下部の抜き孔に連結紐が接続され、前記アタッチメントの紐挿入孔に接続
された前記リング状の紐と前記連結紐が接続されて前記掛け具と前記アタッチメントが連結紐でつながり、前記連結紐の中間部に５〜１０Ｋｇの引っ張り力で分離する安全装置が取り付けられ、前記杖が離れても前記連結紐で繋がっている為、連結紐を手繰り寄せれば、前記杖を簡単に把持でき、前記杖が予期せぬ外力で引っ張られても安全装置が働き、前記連結紐が分離して、安全が確保できる構造を要旨とする。
【発明の効果】
【００１４】
杖保持具は、比較的コンパクトで、上着を着用した状態においても、ズボン、及び、スカートのベルト等の腰部に掛け具を簡単に装着することができ、邪魔になり難く、両手を使用したいときに、杖のアタッチメントを保持体で保持すれば簡単に杖が腰部で保持可能となり、杖を保持した状態で通常の歩行もでき、椅子に腰掛けた状態においても無理なく杖の保持が可能で、杖の置き場を探す必要がなくなった。さらに、細い連結紐を使用することで、歩行時の支障もなく、うっかり杖を離しても、連結紐で腰に装着した掛け具と、杖が繋がっているので連結紐を手繰り寄せれば手元に杖を取り寄せることができ、杖が予期せぬ強い外力で引っ張られても安全装置が働き、連結紐が分離して、杖の使用者が引っ張られることなく安心して杖の利用ができる。
【図面の簡単な説明】
【００１５】
【図１】本発明の第一実施例の杖保持具を前面から見た斜視図である。
【図２】第一実施例の杖保持具の正面図である。
【図３】図２のＡ−Ａ断面図である
【図４】図２のＢ−Ｂ断面図である
【図５】第一実施例の杖にアタッチメントを取付けた状態を示す斜視図である。
【図６】第一実施例の基本使用状態を示す斜視図である。
【図７】第一実施例の椅子に腰かけた時の使用状態を示す斜視図である。
【図８】第一実施例の歩行時の使用状態を示す斜視図である。
【図９】図８の安全装置の縦断面図である。
【図１０】第一実施例の杖の応用例を示す斜視図である。
【図１１】本発明の第二実施例の杖保持具を前面から見た斜視図である。
【図１２】第二実施例の杖にアタッチメントを取付けた状態を示す斜視図である。
【図１３】第二実施例の基本使用状態を示す斜視図である。
【図１４】第二実施例の歩行時の使用状態を示す斜視図である。
【図１５】図１４の安全装置の縦断面図である。
【図１６】本発明の第三実施例の杖保持具を前面から見た斜視図である。
【図１７】第三実施例の杖にアタッチメントを取付けた状態を示す斜視図である。
【図１８】第三実施例の基本使用状態を示す斜視図である。
【図１９】第一実施例の保持体の応用例を示す斜視図である。
【発明を実施するための形態】
【００１６】
本発明の実施形態の基本部分を軸に、第一実施例の通常使用時と、第二実施例と第三実施例の磁石を接近させることができない人も使用できる事例を主体に、一部の応用例も含め、以下図１〜図１９を参照して説明する。図の説明においては、杖保持具１を身体に装着して立った状態で、頭部を上方、足元を下方として説明する。
【００１７】
本実施形態の構成は、第一実施例では、図１から図６に示す、掛け具２の挿入部２１をズボン、及び、スカートのベルト等の腰部に挿入し、掛止部２３で留まり、掛け具２に連結された保持体３ａの磁石３１に、アタッチメント（杖のアタッチメント）４の鋼板４１（磁性体）が吸引されて杖５が保持される方法と、図７に示す、保持体３ａの突起部３２ａにアタッチメント４のリング紐（リング状の紐）６１を引っ掛けて杖５を保持する構成である。
【００１８】
第二実施例は、図１１から図１３に示す、掛け具２の挿入部２１を第一実施例と同様ズボン、及び、スカートのベルト等の腰部に挿入し、掛け具２の連結部２４に連結されたフック３６へ、アタッチメント４に回動可能に連結された連結リング４６を引っ掛けて保持する方法と、第一実施例の図７と同様の方法で、フック３６にアタッチメント４のリング紐６１を引っ掛けて杖５を保持する構成である。
【００１９】
第三実施例は、図１６から図１８に示す、掛け具２の挿入部２１を第一実施例と同様ズボン、及び、スカートのベルト等の腰部に挿入し、掛け具２の連結部２４に取り付けられた保持体３ｂのガイド部３３ｂの間にアタッチメント４の差し込み部４９が挿入され、停止部３７で保持される方法と、第一実施例の図７と同様の方法で、保持体３ｂの突起部３２ｂにアタッチメント４のリング紐６１を引っ掛けて杖５を保持する構成である。  
【００２０】
さらに、杖利用者は、杖を倒した場合、拾うことが困難となるので、手元から離れない為に、第一実施例から第三実施例共に、図８と、図１４に示す、掛け具２の連結部２４の抜き孔２６ａと、アタッチメント４のリング紐６１が連結紐６２で連結され、連結紐６２の中間に５〜１０Ｋｇ以上の張力で分離する安全装置を取付けられて、杖５が手から離れても使用者が立った状態で連結紐６２を手繰り寄せて杖５を把持することができる構成である。
【００２１】
杖保持具１の第一実施例について、図１から図９を参照して詳細に説明する。
図１から図４に示す、杖保持具１の掛け具２は平板状で略コの字状に形成され、一方の面が挿入部２１で滑り止め２２が固着され、その上部に抜き孔２６ｂが設けられ、掛止部２３を経て他方の面が連結部２４となり、上部に連結孔２５ａと下部に抜き孔２６ａが設けられた構成である。
【００２２】
図１から図４に示す、掛け具２は、平板状で略コの字状の金属板は、非磁性材が望ましく、挿入部２１と連結部２４の間隔は特に限定はされないが、男性用ズボン、又は、女性用のスカート及びパンツのベルト等にスムースに挿入できる間隔の約５ｍｍから２０ｍｍ程度（自由に選択可）を有し、挿入部２１の上部に連結軸３５ａの固着時のカシメ等に使用される抜き孔２６ｂが設けられ、下端部の両サイドは、腰部への挿入を容易にするため、図２に示す円弧状の形成、又は半円状に形成され、最上部が腰部のベルト等で、掛け具２を留めるための掛止部２３が形成されている。  
【００２３】
図３と図４に示す滑り止め２２は、ベルト等に当たらない側（裏側）に摩擦係数の大きな樹脂系（シリコン、ウレタンゴム等）で、周囲（端部）に勾配が設けられて、挿入部２１の差し込み時と引き出し時に衣服への引っ掛かりを減少させた状態で、挿入部２１の中央部の一定の面積に固着される。
【００２４】
連結部２４は、保持体３ａが取付けできる面積を有し、上部に連結孔２５ａが設けられ、中央から下方に向かって幅が徐々に狭くなり最下端部が円弧状に形成され、抜き孔２６ａが設けられている。
【００２５】
掛け具２は合成樹脂成型も可能で、形状は図１から図４に示す、前記金属板の曲折形成と同様で、男性用ズボン、又は、女性用のスカート及びパンツのベルト等にスムースに挿入できれば若干柔軟性を有した合成樹脂でもよく、挿入部２１の滑り止め２２は、衣服と接触する裏面の表面に略鋸刃状で挿入時は入りやすく、引き出すときに若干抵抗がかかる凹凸を横方向に一体成型することも可能である。滑り止め２２の形状は、抜け止めになれば特に限定されることはなく、例えば、半球状の粒を多数成形する一体成型も可能で、抜き孔２６ａも同様の一体成型が可能である。摩擦係数の大きな樹脂系（シリコン、ウレタンゴム等）の滑り止め２２の固着もできる。
【００２６】
掛け具２は平板状にこだわることなく、ステンレス線、ピアノ線等の線材で、挿入部２１と、掛止部２３と、連結部２４を曲折形成する方法と、後部の挿入部２１と、上部の掛止部２３を線材で曲折形成して、抜き孔２６ａを有した連結部２４を接合する方法も可能で、形状を色々変化させることができる。
【００２７】
図１から図４に示す保持体３ａは、平板の曲折形成で、最上部に突起部３２ａと、その下部に連結孔２５ｂが設けられ、中央に磁石３１が固着され、両サイドに略ハの字状に形成されたガイド部３３ａが設けられて、下部に係止部３４が略Ｌ字状に形成され、掛け具２の連結部２４に連結軸３５ａで軸支、又は、固定された構成である。
【００２８】
保持体３ａは板状で、金属板又は合成樹脂で形成され、金属板はステンレス、黄銅等の非磁性体が望ましく、合成樹脂は図１から図４に示す形状の一体成型で、突起部３２ａは図３に示す、掛け具２の掛止部２３の上面より上部に突き出た状態で、リング紐６１を引っ掛け易い左右が円弧状で、略扇状に形成され、掛け具２の連結孔２５ａと、保持体３ａの連結孔２５ｂが連結軸３５ａで軸支され、保持体３ａが連結軸３５ａを基点にスイング可能になり、使用時に腕が保持体３ａに接触した場合、保持体３ａが移動して腕にかかる抵抗を減少させる効果と、杖５が前後に振れることにより杖５を装着しての歩行が容易になる効果があるが、安価な製造方法として両ガイド部３３ａの間隔を若干広げ、杖を前後に動き易くして、保持体３ａと掛け具２を、若干柔軟性を有した合成樹脂で一体成型することも可能であり、この構造でも杖５の保持能力は十分維持される。
【００２９】
図３に示す磁石３１は、ネオジム磁石の使用が望ましく、固着が容易なケース付き、及び、中心に皿ネジで固定可能な皿加工が設けられたもので、できる限り薄型に形成されたものが望ましいが、固着方法では磁石３１の形状は特に限定はされない。
図１に示す磁石３１は、円形で示したが、正方形、長方形と種類があるので自由に選定することができる。又磁石３１は、磁力を調整するため、薄型磁石の複数重ね使用や、複数の並べ使用も可能である。
【００３０】
ガイド部３３ａは磁石３１の両サイドから略ハの字状に形成され、図６に示す、アタッチメント４が左右にそれることなく磁石３１へ吸引させるための案内となり、両ガイド部３３ａは、アタッチメント４が余裕を持って入る間隔を有し、吸引後はアタッチメント４が左右への飛び出しを防止するためのストッパー役も果たしている。そのため、磁石３１の表面から前方へ５ｍｍから１０ｍｍ程度に長くして形成することが望ましい。
【００３１】
係止部３４は保持体３ａの最下部で、磁石３１がアタッチメント４の鋼板４１を吸引後、図６に示す杖５が下方にずり落ちないために、アタッチメント４の取付け部４２を係止するためのもので、磁石３１の特性上、引っ張り力に対し、上下左右のずれには弱いので、杖５が下方にずれ落ちることを防止するたに図３に示す、磁石３１の固着面の下方から前方に向けＬ字状に形成され、磁石３１の表面から約１ｍｍ以上突出した状態で形成されている。
【００３２】
図５に示すアタッチメント４は、平板が円弧状に形成された取付け部４２に一体となった締め付け部４４が紐挿入孔４５を備えて設けられ、鋼板４１が円弧状に形成されて締め付け部４４以外の曲面に固着され、取付け部４２とシャフト５２の外周の中間に平板が円弧状に形成された緩衝材４３が挿入されてボルト８１とナットで締め付け、シャフト５２に固定される構成である。
【００３３】
アタッチメント４のシャフト５２の外周への取付けは、杖５の最下端部の石突を外して取付け部４２を差し込む方法であれば、わずかな柔軟性と磁性を有した鋼板４１を、図５に示す形状に締め付け部４４を含めて曲折形成することも可能である。石突を外すことなくシャフト５２の外周から嵌め込む場合は、柔軟性が必要となるため、磁性を有した鋼板４１を薄くして柔軟性を持たせて曲折形成する方法と、図５に示す円弧（優弧）状の形状に、柔軟性を有した合成樹脂成型で、極力薄い鋼板４１を接合させた形成で柔軟性を確保し、締め付け部４４を広げ、シャフト５２の外周から嵌め込み、緩衝材４３の外周に取付け部４２の内周を嵌め込み、締め付け部４４をボルト８１とナットで締め付け固定する方法があり、杖５の種類、使用状況により種々選択可能である。
【００３４】
図５に示すアタッチメント４は、鋼板４１が磁石３１に吸引された時点で杖５のシャフト５２の外周と、係止部３４の先端部との間に隙間ができる構造に取付け部４２が形成され、磁石３１の表面から係止部３４の突出が大きくなれば、シャフト５２の外周に対し取付け部４２の寸法差も大きくし、シャフト５２の外周と係止部３４の間に隙間ができる調整がなされ、これにより、アタッチメント４の鋼板４１が磁石３１に確実に接触して吸引される。
【００３５】
図５に示す緩衝材４３は、杖５のシャフト５２の外周にアタッチメント４の取り付け部４２を取付けた場合、シャフト５２の外周を傷付け無いための素材で、シャフト５２の外周から嵌め込みできる柔軟性と、確実に締め付け可能な寸法を備えた板状の材料が円弧状に形成され、シャフト５２の外周に巻き付いた状態にセットされる。
【００３６】
緩衝材４３は、シャフト５２の外周と取付け部４２の隙間に入れるもので、磁石３１への吸引時にシャフト５２の外周と係止部３４の間の隙間を調整し、締め付け部４４間の間隔も確保されてボルト８１とナットで締め付けた場合取付け部４２がシャフト５２の外周に確実に固定させるために、種々のシャフト５２の外径寸法に合わせた調整が必要となるので、状況に応じて複数を組み合わせた取付けも可能である。又、ゴム等の柔軟性のある平板形状品をシャフト５２の外周に巻き付け後、取付け部４２を嵌め込んで固定する方法も可能である。
【００３７】
図７に示すリング紐６１は、１０Ｋｇ以上の引っ張り力に耐え、サイズは図７に示す、保持体３ａの突起部３２ａに引っ掛け易い紐の太さと、杖５の向きが自由に変更できる寸法で、握り拳がスムースに入る程度のリング状のサイズに調整されて、アタッチメント４の締め付け部４４に設けられた紐挿入孔４５に紐止め具６３で連結されている。
リング紐６１は、１０Ｋｇ以上の引っ張り力に耐えれば、金属、合成樹脂等の織り紐、鎖状のものでもよい。
【００３８】
図６と図８に示す連結紐６２は、１０Ｋｇ以上の引っ張り力に耐える２本の細紐からなり、１本目の一方が、掛け具２の連結部２４の抜き孔２６ａに紐止め具６３で連結され、他方が安全装置７ａの留め具７２ａの紐接続孔７４ａに紐の長さを身長及び、歩行状態に合わせた設定で、紐止め具６３で接続され、２本目の一方が安全装置７ａの挿入具７３ａの紐接続孔７４ａに紐止め具６３で接続され、他方がアタッチメント４のリング紐６１に紐止め具６３で接続されている。連結部２４の抜き孔２６ａと、紐止め具６３でリング状になった連結紐６２を図１０に示す、連結リング５６を介して連結することも可能である。
【００３９】
図８に示す連結紐６２の全体の長さは、立った状態で掛け具２を腰部のベルト等へ挿入して装着し、杖５の締め付け部４４が、身体の外側の向きになるようにセットして、掛け具２が装着された側の手で把持部５１を握り、その手を横へ水平に伸ばした状態でリング紐６１と連結紐６２が一直線になる程度に調整されれば、連結紐６２が突っ張ることなくスムースに歩行できる。
連結紐６２は、１０Ｋｇ以上の引っ張り力に耐えれば、歩行時の支障になり難い極力細い紐が望ましく、金属、合成樹脂等の織り紐、鎖状のものでもよい。
【００４０】
図８と図９に示す安全装置７ａは磁石Ｓ７１と、留め具７２ａと、挿入具７３ａからなり、留め具７２ａは非磁性体で、先端の磁石Ｓ７１の挿入部が円筒状に形成されて磁石Ｓ７１の表面が円筒の端面から中に沈み込んだ状態に挿入し固着される。後端は軸線と平行に平面状に形成され、紐接続孔７４ａが設けられている。
【００４１】
挿入具７３ａは磁性を有した丸棒の中央から先の一端部が軸線を基準に平行で平面状に形成されて紐接続孔７４ａが設けられ、他端部は丸棒の状態で軸線と直角に端面加工がなされ、磁石Ｓ７１の吸着面となる。
【００４２】
磁石Ｓ７１は円形で小形のネオジム磁石が望ましく、留め具７２ａに挿入具７３ａが吸引された状態で、連結紐６２が引っ張られた場合、５Ｋｇから１０Ｋｇで留め具７２ａと挿入具７３ａが分離する構造にするため、磁石Ｓ７１の磁力線の強弱と、サイズと、挿入具７３ａの吸引部のサイズ等で吸引力を調整する。  
【００４３】
図１０は、第一実施例の杖５のアタッチメント４の応用例を示し、鉄パイプ（磁性を有したパイプ）５３は、杖５のデザイン性と、使い易さを考慮したもので、アタッチメント４が杖５の製造時に、鉄パイプ５３がシャフト５２に組み込まれた状態で固着されている。さらに、他の方法として、シャフト５２の外径サイズに合わせたオーダーメード加工で、鉄パイプ５３を、杖５の最下端部の石突を外し、下部から挿入して嵌着、又は、接着剤等で固着する方法と、鉄パイプ５３の縦方向に切り込みを入れて円弧（優弧）状に加工されたもの、又は、平板を円弧（優弧）状に形成された磁性体を、杖５の最下端部の石突を外した状態で挿入し、接着剤により固着されている。  
【００４４】
鉄パイプ５３及び、平板の円弧状形成品の外径は、シャフト５２の外径より大きくし、図６に示す、保持体３ａの磁石３１に鉄パイプ５３が吸引された状態で、係止部３４の先端部がシャフト５２の外周に接触しないサイズに形成されている。これにより磁石３１に鉄パイプ５３が確実に接触して吸引され、下方にずれても係止部３４が鉄パイプ５３を受けとめ、杖５が外れることなく保持される。
【００４５】
図１０に示すリング紐６１は、前記記載の段落００３７と同一で、シャフト５２に固定された弾性体、又は、金属、合成樹脂等で形成された接続バンド５４の接続部５５に、接続リング５６で接続されている。
【００４６】
掛け具２の連結部２４の抜き孔２６ａと、安全装置７ａの紐挿入孔７４と、杖５のアタッチメント４のリング紐６１とを連結紐６２で連結する方法は、前記記載の段落００３８〜００３９と同一である。  
【００４７】
第一実施例の使用例１は、杖５を把持して立った状態の場合で、図１に示す、掛け具２の挿入部２１を男性用ズボン、又は、女性用のスカート及びパンツのベルト等の腰部に挿入して装着し、図５に示す、杖５の把持部５１を把持した手の親指を保持体３ａの突起部３２ａの上部に添える。これにより杖５のアタッチメント４が、保持体３ａの磁石３１の手前の位置に定まり、アタッチメント４の鋼板４１が容易に磁石３１に吸引されて、図６に示す、杖５が掛け具２を介して腰部に保持された状態となる。この方法により、保持体３ａを目で確認する必要がなく、上着を着用した状態でも行える。
杖５を磁石３１から離す場合は、シャフト５２を足に当て、把持部５１を身体の外側へ押すことにより梃子の原理が働き、鋼板４１が磁石３１に線接触で吸引されているので容易に離すことができる。
【００４８】
アタッチメント４の鋼板４１が磁石３１に吸引される直前に位置がずれた場合は、ガイド部３３ａで磁石３１の位置に案内されて吸引が容易となり、吸引後、把持部５１に下方への外力が加えられても、係止部３４が取付け部４２を受けとめて係止させ、左右のずれはガイド部３３ａで止まり、杖５が保持された状態で安定が保たれる。保持体３ａのスイングで前後に杖５が動き易く、杖５を保持した状態で、手押し車等を両手で押しながら歩行することも可能である。
【００４９】
使用例２は、椅子等に腰掛けた状態の場合で、保持体３ａに杖５が吸着された状態でも椅子等に腰掛けることは可能であるが、杖５の向きが制限されるので、杖５の向きが自由に変更可能にするため、掛け具２の腰部への装着は、立った状態と同一で、杖５の把持部５１を握った状態で椅子等に腰掛け、図７に示す、リング紐６１を保持体３ａの突起部３２ａに引っ掛けることにより、杖５が保持される。
【００５０】
椅子等に腰掛けた状態は、身体が安定しているのでリング紐６１を突起部３２ａに引っ掛け易く、図７に示す、リング紐６１を保持体３ａのガイド部３３ａの間に置くことにより、杖５の向きが変わっても、保持体３ａがスイングし、リング紐６１を誘導し、安定した保持となる。
【００５１】
使用例３は、杖５を利用して歩行する場合で、図８は右手使用を示し、掛け具２の挿入部２１を男性用ズボン、又は、女性用のスカート及びパンツのベルト等の右側の腰部に挿入して装着し、アタッチメント４の締め付け部４４が、身体の反対側になるよう把持部５１を握り、連結紐６２を自然な状態で下方に垂らせば安全装置が自重で下がり歩行が容易になる。
左手使用の場合は、左側の腰部に掛け具２を装着し、アタッチメント４の締め付け部４４を緩め、杖５を１８０度回転させれば使用可能となる。
【００５２】
杖５の把持部５１が手から離れた場合は、連結紐６２で把持部５１を手繰り寄せて握ることが可能である。
【００５３】
杖保持具１の第二実施例について、以下図１１〜図１５を参照して詳細に説明する。
本実施例は、磁石を接近させることができない人も使用ができる杖保持具に関するもので、第一実施例を基本とした実施例である。
【００５４】
図１１に示す掛け具２は、前記記載の段落００２２〜００２６までと同一で、連結部２４の上部に金属、又は、合成樹脂で略Ｕ字状に形成されたフック３６の一端部が連結軸３５ｂで軸支され、他方の先端部は解放されている。フック３６の形状は、一般的には軸支部以外は丸棒の形成であるが、コンパクトにするため、平板を略Ｕ字状に形成も可能で、解放された先端部は丸形に形成されている。
フック３６と、連結部２４の連結は、軸支が望ましいが、連結軸３５ｂで固定することも可能である。又、合成樹脂で連結部２４と一体成型も可能である。
【００５５】
図１２に示すアタッチメント４は、前記記載の段落００３２と００３３の取付け部４２の状態から鋼板４１を除いた形成と同様で、取付け部４２の上部に、回動部４８が取付けられ、左右平行に形成されたアーム４７を具備した連結リング４６が回動部４８に連結された構成である。
【００５６】
図１２に示す、回動部４８は、金属、合成樹脂等の平板が蝶番状に形成され、アタッチメント４の取付け部４２に固着され、連結リング４６と、アーム４７は金属、又は、合成樹脂等の平板で形成されているが、連結リング４６、アーム４７の形状は、共に丸棒を接合した形成も可能である。
【００５７】
連結リング４６のアーム４７は、把持部５１を握った手の中指で押し上げ、図１３に示す、連結リング４６を水平にできる長さを有して形成されてフック３６に引っ掛け易くし、歩行時は図１２に示す下向きとなり、連結リング４６の先端が腰部に当たり難く形成されている。
【００５８】
図１３と図１４に示すリング紐６１は、前記記載の段落００３７と同一であるため省略する。
【００５９】
図１３と図１４に示す連結紐６２は、２本の細紐からなり、１０Ｋｇ以上の引っ張り力に耐え、１本目の一方が、掛け具２の連結部２４の抜き孔２６ａに紐止め具６３で連結され、他方が紐の長さを身長及び歩行状態に合わせた設定で、安全装置７ｂの留め具７２ｂの紐接続孔７４ｂに紐止め具６３で接続され、２本目の一方が安全装置７ｂの挿入具７３ｂの紐接続孔７４ｂに紐止め具６３で接続され、他方がアタッチメント４のリング紐６１に紐止め具６３で接続されている。
【００６０】
図１４に示す連結紐６２の全体の長さは、立った状態で掛け具２を腰部のベルト等へ挿入して装着し、杖５の締め付け部４４が、身体の外側の向きになるようセットして、把持部５１を握った手を横へ水平に伸ばした状態で、リング紐６１と連結紐６２が一直線になる程度に調整されれば、連結紐６２が突っ張ること無くスムースに歩行できる。
連結紐６２は、１０Ｋｇ以上の引っ張り力に耐えれば、歩行時の支障になり難い極力細い紐が望ましく、金属、合成樹脂等の鎖状のものでもよい。  
【００６１】
図１４と図１５に示す安全装置７ｂは合成樹脂の成型品で、留め具７２ｂと、挿入具７３ｂからなり、留め具７２ｂは平板がコの字状に形成された上部に紐接続孔７４ｂを備えた平板が接合され、コの字状の間に円柱部７５の両端が挿入されて接合された状態で、合成樹脂により一体成型され、挿入具７３ｂは上部が略ハの字で開口部を有した円弧状に形成された嵌着部７６の下部にリング形状の平板が接合された状態で紐接続孔７４ｂが設けられ、合成樹脂により一体成型され、留め具７２ｂの円柱部７５に、挿入具７３ｂの嵌着部７６のハの字状の開口部を当てて押し込み、挿入具７３ｂの嵌着部７６が留め具７２ｂの円柱部７５に嵌着される。
【００６２】
挿入具７３ｂの嵌着部７６と、留め具７２ｂの円柱部７５が嵌着された状態で、留め具７２ｂを固定した状態で挿入具７３ｂを下方に引っ張った時、５Ｋｇ〜１０Ｋｇで嵌着部７６が開き、分離させる構造にするため、円柱部７５と嵌着部７６のサイズが合成樹脂成型で調整される。
【００６３】
第二実施例の使用例１は、杖５を把持して立った状態の使用例で、図１３に示す、掛け具２の挿入部２１を男性用ズボン、又は、女性用のスカート及びパンツのベルト等の腰部に挿入して装着し杖５の把持部５１を把持した手の中指で、杖５のアタッチメント４のアーム４７を押し上げ水平にして、掛け具２に取付けられたフック３６に連結リング４６を挿入（嵌め込み）して連結リング４６を引っ掛けて杖５を保持する。
【００６４】
使用例２は、椅子等に腰掛けた状態の使用例で、杖５の把持部を握った状態で椅子等に腰掛け、図１３と図１４に示す、リング紐６１を図７に示す状態で、突起部３２ａに掛ける代りに、フック３６に引っ掛け、杖５を保持させる。
【００６５】
使用例３は、安全装置７ｂの仕様が異なる以外は、前記記載の段落００５１と００５２と同一であるため省略する。
【００６６】
杖保持具１の第三実施例について、以下図１６〜図１８を参照して詳細に説明する。
本実施例も、磁石を接近させることができない人も使用ができる杖保持具に関するもので、第一実施例を基本とした実施例である。
【００６７】
図１６に示す掛け具２は、前記記載の段落００２２〜００２６までと同一で、連結部２４に保持体３ｂが固着され、図１７に示す、杖５のアタッチメント４の取付け部４２に接合された差し込み部４９が図１８に示す、ガイド部３３ｂ内から挿入され係止部３７で係止して保持される構成である。
【００６８】
図１６に示す保持体３ｂは、平板状の金属、又は、合成樹脂で最上部に突起部３２ｂが掛け具２の掛止部２３の上面より上部に突き出た状態で、リング紐６１を引っ掛け易い左右が円弧状で、略扇状に形成され、中央の両サイドにガイド部３３ｂが前方へ略Ｌ字状に曲折されて配置され、その下方が角形の筒状に形成されて前方の上部に停止部３７が、下方に湾曲形成されて、掛け具２の連結部２４に取付けられている。保持体３ｂは第一実施例と同様、連結部２４に軸支することも可能である。
【００６９】
保持体３ｂは、突起部３２ｂ、ガイド部３３ｂ、停止部３７が具備され、差し込み部４９が挿入できれば、図１６に示す形状に限定されることはなく、自由に変更可能である。従って、掛け具２と保持体３ｂが合成樹脂による一体成型も可能である。停止部３７の下方への湾曲形成は、差し込み部４９が中心部に位置するように働き、杖５の保持を安定させる効果がある。
【００７０】
図１７に示す杖５のアタッチメント４の取付け部４２は、前記記載の段落００３２と００３３の取付け部４２の状態から鋼板４１を除いた形成と同様で、締め付け部４４の反対側で、取付け部４２の中央よりやや上部の位置に、差し込み部４９が接合されている。差し込み部４９は、平板が略Ｌ字状に形成されて一端部が取付け部４２に接合され、他端部の先端が下方に向け円弧状に形成されている。
【００７１】
差し込み部４９の幅は、両ガイド部３３ｂ間の寸法に対し、半分程度が望ましく、差し込み部４９の幅が狭くても、停止部３７の下方への湾曲により、杖５の重力で自然に保持体３ｂの中心部に位置決めされるので、杖５が差し込み部４９を基点に前後へ容易にスイングでき、杖５を掛け具２で保持しての歩行が容易となる。
【００７２】
取付け部４２と差し込み部４９は、若干柔軟性を有した合成樹脂の一体成型で、図１７に示す差し込み部４９の略Ｌ字状の曲折部から取付け部４２までの直線部分を、停止部３７の湾曲に合わせて下方に向けた湾曲形状に形成することが望ましい。これにより、杖５の保持がより安定し、杖５の前後へのスイングもよりスムースになる。
【００７３】
図１８に示すリング紐６１は、前記記載の段落００３７と同一であるため省略する。
【００７４】
図１４と、図１８に示す連結紐６２と、安全装置７ｂと、リング紐６１の連結状態は、前記記載の段落００５９〜００６２までと同一であるため省略する。
【００７５】
第三実施例の使用例１は、杖５を把持して立った状態の使用例で、図１３に示す、掛け具２の挿入部２１を男性用ズボン、又は、女性用のスカート及びパンツのベルト等の腰部に挿入して装着し、図１６に示す、保持体３ｂの突起部３２ｂの上部に、杖５の把持部５１を把持した手の親指を接触させて、図１８に示す、差し込み部４９を保持体３ｂの両ガイド部３３ｂの前の位置に定めて挿入し、下方へ移動させ、停止部３７で差し込み部４９が係止して杖５が保持される。
【００７６】
使用例２は、リング紐６１を用いた椅子等に腰掛けた状態の使用例で、基本的に前記記載の段落００４９、００５０と同一であるため省略する。
【００７７】
使用例３は、安全装置７ｂの仕様が異なる以外は、前記記載の段落００５１と００５２と同一であるため省略する。
【００７８】
図１９は、第一実施例の保持体３ａの応用例を示し、掛け具２の連結部２４に、軸支された保持体３ａは、平板が曲折形成され、最上部に突起部３２ａが略扇状に形成され、下部に連結部２４が設けられ、中央部が略ハの字状で曲折面が９０度から１２０度に形成されたガイド部３３ａの左右の面に磁石３１が固着され、固着された面の夫々の下部が略Ｌ字状に形成されて、係止部３４が設けられている。
【００７９】
磁石３１の左右の表面角度は、９０度から１２０度で中心から左右対称に設定されているので、この角度が案内となり、複数の磁石３１が円形のアタッチメント４の鋼板４１を吸引し合うので、杖５の保持が安定する。しかし、連結部２４から係止部３４の先端までの寸法が長くなり安定化と引き換えに若干大型化する。
【００８０】
本応用例の使用例は、前記記載の第一実施例と同様となる。  
【００８１】
以上、本発明の実施の形態を詳述したが、本発明は上記実施の形態に限定されるものではなく本発明の趣旨を逸脱しない範囲で種々の改変は可能である。
例えば、第一実施例の応用例で示した事例もその一つであるが、他にも、形状、取り付け方法等の改変は可能である。
【符号の説明】
【００８２】
１  ・・・・・・・・・  杖保持具  
２  ・・・・・・・・・  掛け具    
２１  ・・・・・・・・  挿入部
２２  ・・・・・・・・  滑り止め
２３  ・・・・・・・・  掛止部
２４  ・・・・・・・・  連結部
２５ａ・２５ｂ  ・・・  連結孔
２６ａ・２６ｂ  ・・・  抜き孔
３ａ・３ｂ  ・・・・・  保持体  
３１  ・・・・・・・・  磁石
３２ａ・３２ｂ  ・・・  突起部  
３３ａ・３３ｂ  ・・・  ガイド部
３４  ・・・・・・・・  係止部
３５ａ・３５ｂ  ・・・  連結軸
３６  ・・・・・・・・  フック
３７  ・・・・・・・・  停止部
４  ・・・・・・・・・  アタッチメント
４１  ・・・・・・・・  鋼板（磁性体）
４２  ・・・・・・・・  取付け部
４３  ・・・・・・・・  緩衝材
４４  ・・・・・・・・  締め付け部
４５  ・・・・・・・・  紐挿入孔
４６  ・・・・・・・・  連結リング
４７  ・・・・・・・・  アーム
４８  ・・・・・・・・  回動部
４９  ・・・・・・・・  差し込み部
５  ・・・・・・・・・  杖
５１  ・・・・・・・・  把持部
５２  ・・・・・・・・  シャフト
５３  ・・・・・・・・  鉄パイプ（磁性を有したパイプ）
５４  ・・・・・・・・  接続バンド
５５  ・・・・・・・・  接続部
５６  ・・・・・・・・  接続リング
６１  ・・・・・・・・  リング紐（リング状の紐）
６２  ・・・・・・・・  連結紐
６３  ・・・・・・・・  紐止め具
７ａ・７ｂ  ・・・・・  安全装置
７１  ・・・・・・・・  磁石Ｓ
７２ａ・７２ｂ  ・・・  留め具
７３ａ・７３ｂ  ・・・  挿入具
７４ａ・７４ｂ  ・・・  紐接続孔
７５  ・・・・・・・・  円柱部
７６  ・・・・・・・・  嵌着部
８１  ・・・・・・・・  ボルト
【図１】
2019005097.tif 000003
【図２】
2019005097.tif 000004
【図３】
2019005097.tif 000005
【図４】
2019005097.tif 000006
【図５】
2019005097.tif 000007
【図６】
2019005097.tif 000008
【図７】
2019005097.tif 000009
【図８】
2019005097.tif 000010
【図９】
2019005097.tif 000011
【図１０】
2019005097.tif 000012
【図１１】
2019005097.tif 000013
【図１２】
2019005097.tif 000014
【図１３】
2019005097.tif 000015
【図１４】
2019005097.tif 000016
【図１５】
2019005097.tif 000017
【図１６】
2019005097.tif 000018
【図１７】
2019005097.tif 000019
【図１８】
2019005097.tif 000020
【図１９】
2019005097.tif 000021
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
腰部に装着して使用する杖保持具であって、腰部に対して掛ける為の掛け具と、前記掛け具に連結された保持体と、前記保持体に係止される為の杖のアタッチメントにより杖の保持をするものであり、前記掛け具は、上部の掛止部と、前記掛止部の前部に設けられ、下部に抜き孔を備えた連結部と、前記掛止部の後部に設けられ、裏側に滑り止めを備えた挿入部とからなり、前記保持体は、板状に構成され、上部にリング状の紐を引っ掛ける為の突起部が設けられ、中央に一個以上の磁石が固着され、該磁石の両サイドにガイド部と、下端部に前記杖のアタッチメントの取り付け部を係止するための係止部が設けられて、前記掛け具の連結部に連結されてなり、前記杖のアタッチメントは、締め付け部と、紐挿入孔を備えて円弧状に形成され、表面が磁性体の取り付け部とからなり、前記取付け部の内側に緩衝材が挿入されて、前記杖のシャフトの上部に取り付けられ、前記保持体の磁石に前記杖のアタッチメントの磁性体が吸着し、杖が保持される構造を特徴とする杖保持具。
【請求項２】
腰部に装着して使用する杖保持具であって、腰部に対して掛ける為の掛け具と、前記掛け具に連結された保持体と、前記保持体に係止される為の杖のアタッチメントにより杖の保持をするものであり、前記掛け具は、上部の掛止部と、前記掛止部の前部に設けられ、下部に抜き孔を備えた連結部と、前記掛止部の後部に設けられ、裏側に滑り止めを備えた挿入部とからなり、前記保持体は、板状に構成され、上部にリング状の紐を引っ掛ける為の突起部が設けられ、中央の両サイドにガイド部と、下部の前方に、前記杖のアタッチメントの差し込み部を停止させるための停止部が設けられて、前記掛け具の連結部に連結されてなり、前記杖のアタッチメントは、締め付け部と、紐挿入孔を備えて円弧状に形成され、外周に略Ｌ字状に形成された差し込み部が設けられた取り付け部とからなり、前記取付け部の内側に緩衝材が挿入されて、前記杖のシャフトの上部に取り付けられ、前記杖のアタッチメントの略Ｌ字状に形成された差し込み部が前記保持体のガイド部から挿入されて、前記保持体の停止部で杖が保持される構造を特徴とする杖保持具。
【請求項３】
前記杖のアタッチメントの紐挿入孔にリング状の紐が連結され、該リング状の紐を、前記保持体の突起部に引っ掛けて、前記杖が保持される構造を特徴とする請求項１又は請求項２に記載の杖保持具。    
【請求項４】
前記杖のアタッチメントの紐挿入孔にリング状の紐が連結され、該リング状の紐と、中間部に５〜１０Ｋｇの引っ張り力で分離する安全装置を備えた連結紐の一方の端が接続され、該連結紐の他方の端は、前記掛け具の連結部の下部の抜き孔に接続された構造を特徴とする請求項１又は請求項２に記載の杖保持具。